(57)【要約】      （修正有） 【課題】パンを焼くと同時にハムエッグ等のようなおかずの調理も一台で同時にできるオーブントースターを提供する。【解決手段】上位側ヒーター２と下位側ヒーター３を取り付けて成るオーブントースター本体Ａ内に、パンＰを乗せるための焼き網部Ｂ１とその両側部から所要高さ立ち上がらせるように連設した支持枠部Ｂ２，Ｂ２とを具えた内部仕切り用網金具Ｂを棚状に架設し、当該支持枠部Ｂ２，Ｂ２上に天火皿Ｃを載置すると共に、当該天火皿Ｃ内に収容可能としかつ所要のおかずを調理するための調理皿Ｄを収装する。【選択図】図１
0003167559.tif 000002
【実用新案登録請求の範囲】
【請求項１】
正面に開閉扉(１)を具え、かつ、その上面寄り部分には上位側ヒーター(２)を、また、その下面寄り部分には下位側ヒーター(３)を、夫々取り付けて成るオーブントースター本体(Ａ)内に、当該両ヒーター(2,3)の間に、パンを焼くための部位とおかずの調理を行うための部位とを、二段重ね状に設けたことを特徴とするオーブントースター。
【請求項２】
正面に開閉扉(１)を具え、かつ、その上面寄りと下面寄り部分に、夫々上位側ヒーター(２)と下位側ヒーター(３)を取り付けて成るオーブントースター本体(Ａ)内に、パン(Ｐ)を乗せるための焼き網部(Ｂ1)とその両側部から所要高さ立ち上がらせるように連設した支持枠部(Ｂ2,Ｂ2)とを具えた内部仕切り用網金具(Ｂ)を棚状に架設し、当該支持枠部(Ｂ2,Ｂ2)上に天火皿(Ｃ)を載置すると共に、当該天火皿(Ｃ)内に収容可能としかつ所要のおかずを調理するための調理皿(Ｄ)を収装するように構成したことを特徴とするオーブントースター。
【請求項３】
上位側ヒーター(２)と下位側ヒーター(３)との対向間隔に基づき、パン(Ｐ)を乗せるための焼き網部(Ｂ1)部分の温度条件と、支持枠部(Ｂ2,Ｂ2)上に載置された天火皿(Ｃ)部分の温度条件とを、トーストの焼き上げと、おかず調理の完成化とが同時に達成されるような温度設定が得られるように構成した請求項２に記載のオーブントースター。
【請求項４】
内部仕切り用網金具(Ｂ)に連設する支持枠部(Ｂ2,Ｂ2)の高さ設定に基き、トーストの焼き上げと、おかず調理の完成とが同時に達成されるような温度設定が得られるように構成した請求項２に記載のオーブントースター。
【請求項５】
調理皿(Ｄ)として、其の儘おかず用容器として利用可能とする形態のものを用いるように構成した請求項２乃至請求項４の何れかに記載のオーブントースター。
【考案の詳細な説明】
【技術分野】
【０００１】
本考案は、パンを焼くための使命を果たすと共に、例えばハムエッグのような料理の調理目的が同時に果たされるようにしたオーブントースターに関する。
【背景技術】
【０００２】
従来、例えばトーストとハムエッグ等で朝食を採る場合、パンはオーブントースターでトーストし、一方、おかずとするハムエッグはフライパン等を用いて別個に調理することを通例とした。
【０００３】
そして、従来のオーブントースターは、中央に設けた焼き棚の上方及び下方に所要のヒーターを設け、これにより当該焼き棚上に載せたパンの両面を同時に焼くように構成したものであった（例えば特許文献１参照。）。 
【０００４】
上記形態以外のオーブントースターとして、焙焼室内の上中下の各位置にヒーターを設けると共に、これらの各ヒーター間に網棚を設けるように構成した二段型オーブントースターが存在する（例えば特許文献２参照。）。  然し乍、これは主として２枚のパンを同時にトーストすることを目的とし、同一焙焼室内に設けた二段の網棚に対して、各網板の夫々の上下両面からの過熱目的が果たされるよう構成したもの、換言すると、網板を増やしたことに対応させてヒーターの数を増加させて、２枚のパンが同時に焼くことができるようにしたに過ぎないものであった。
【０００５】
【特許文献１】実開平０１−１０９７０６号公報
【特許文献２】実開昭６１−０８９７０７号公報
【考案の開示】
【考案が解決しようとする課題】
【０００６】
独身者、単身赴任者等１人で生活している者の朝食は、通常、一枚のトーストとハムエッグ等のおかずから成るというのが一般的である。  そしてこの場合、パンはトースターで焼き、おかずとしてのハムエッグ等はフライパンで炒める等の別調理で行うということが通例である。  然し乍、朝食の準備に費やす時間は、出勤前の慌しい時間帯であることにも鑑み、出来るだけ負担感を生じたくない、とするのが共通認識である。
【０００７】
従って、極端の場合、トーストに対してバターまたはジャムを塗っただけで朝食を済ませてしまうというようなケースが多く、そのため、栄養的偏りが生じて健康を害してしまうというような心配が伴うことを余儀なくされた。
【０００８】
本考案は、１台のオーブントースターでパンを焼くと同時にハムエッグ等のようなおかずの調理目的も果たされる、と言うよう利用が可能とする新規なオーブントースターの提供を図り、もつて、上記のような従来の問題の解消化を図ったものである。
【課題を解決するための手段】
【０００９】
本考案は請求項１に記載のように、正面に開閉扉１を具え、かつ、その上面寄り部分には上位側ヒーター２を、また、その下面寄り部分には下位側ヒーター３を、夫々取り付けて成るオーブントースター本体Ａ内に、当該両ヒーター2,3の間に、パンを焼くための部位とおかずの調理を行うための部位とを、二段重ね状に設けたことを特徴とするオーブントースターに係る。
【００１０】
本考案は、請求項２に記載のように、正面に開閉扉１を具え、かつ、その上面寄りと下面寄り部分に、夫々上位側ヒーター２と下位側ヒーター３を取り付けて成るオーブントースター本体Ａ内に、パンＰを乗せるための焼き網部Ｂ1とその両側部から所要高さ立ち上がらせるように連設した支持枠部Ｂ2,Ｂ2とを具えた内部仕切り用網金具Ｂを棚状に架設し、当該支持枠部Ｂ2,Ｂ2上に天火皿Ｃを載置すると共に、当該天火皿Ｃ内に収容可能としかつ所要のおかずを調理するための調理皿Ｄを収装するように構成したことを特徴とするオーブントースターに係る。
【００１１】
本考案は請求項３に記載のように、上位側ヒーター２と下位側ヒーター３との対向間隔に基づき、パンＰを乗せるための焼き網部Ｂ1部分の温度条件と、支持枠部Ｂ2,Ｂ2上に載置された天火皿Ｃ部分の温度条件とを、トーストの焼き上げと、おかず調理の完成化とが同時に達成されるような温度設定が得られるように構成した請求項２に記載のオーブントースターを実施の態様とする。
【００１２】
本考案は請求項４に記載のように、内部仕切り用網金具Ｂに連設する支持枠部Ｂ2,Ｂ2の高さ設定に基き、トーストの焼き上げと、おかず調理の完成とが同時に達成されるような温度設定が得られるように構成した請求項２に記載のオーブントースターを実施の態様とする。
【００１３】
本考案は請求項５に記載のように、調理皿Ｄとして、其の儘おかず用容器として利用可能とする形態のものを用いるように構成した請求項２乃至請求項４の何れかに記載のオーブントースター。
【考案の効果】
【００１４】
本考案は請求項１に記載のような構成、すなわち、正面に開閉扉１を具え、かつ、その上面寄り部分には上位側ヒーター２を、また、その下面寄り部分には下位側ヒーター３を、夫々取り付けて成るオーブントースター本体Ａ内に、当該両ヒーター2,3の間に、パンを焼くための部位とおかずの調理を行うための部位とを、二段重ね状に設けるように構成したから、トーストとおかずとが、一台のオーブントースターで同時進行的に調理されることとなるから、特に忙しない朝食調理用器具として最適なものとする。  なお、パンが焼けたのにおかずの調理が完了していない場合は、一旦パンを取り出した後に更なる加熱を施しておかずの完成化を完了させる、と言うような利用形態を採る場合も予想される。  然し乍、このような場合であっても、パンとおかづとを両者別器具で調理するものに比して、その調理の容易性、簡便性において本考案のほうが著しく勝っていることは明らかである。  
【００１５】
本考案は請求項２に記載のような構成、すなわち、正面に開閉扉１を具え、かつ、その上面寄りと下面寄り部分に、夫々上位側ヒーター２と下位側ヒーター３を取り付けて成るオーブントースター本体Ａ内に、パンＰを乗せるための焼き網部Ｂ1とその両側部から所要高さ立ち上がらせるように連設した支持枠部Ｂ2,Ｂ2とを具えた内部仕切り用網金具Ｂを棚状に架設し、当該支持枠部Ｂ2,Ｂ2上に天火皿Ｃを載置すると共に、当該天火皿Ｃ内に収容可能としかつ所要のおかずを調理するための調理皿Ｄを収装するように構成したから、焼き網部Ｂ1にパンＰを乗せると共に、調理皿Ｄに希望するおかずの材料を入れた状態でオーブントースターとしての加熱処理を施すことにより、トーストとおかずとが同時進行的に調理されることとなる。  従って、出勤前の慌しい時間帯であるにもかかわらす、短時間にしてかつ負担感を生じることなく、健康的な朝食の摂取が可能化される。  なお、パンとおかずとの調理上の時間差が生じた場合は、出来上がった一方のものを取り出した後に、更なる加熱を継続させて、他方のものの完成化を計るような使用形態を採るものとする。
【００１６】
本考案は請求項３に記載のような構成、すなわち、上位側ヒーター２と下位側ヒーター３との対向間隔に基づき、パンＰを乗せるための焼き網部Ｂ1部分の温度条件と、支持枠部Ｂ2,Ｂ2上に載置された天火皿Ｃ部分の温度条件とを、トーストの焼き上げと、おかず調理の完成化とが同時に達成されるような温度設定が得られるように構成することにより、朝食作成の時間的一貫性が計られ、例えばパンが焼けてもおかずが出来上がらないと言うような事態発生が回避される。
【００１７】
本考案は請求項４に記載のような構成、すなわち、内部仕切り用網金具Ｂに連設する支持枠部Ｂ2,Ｂ2の高さ設定に基き、トーストの焼き上げと、おかず調理の完成とが同時に達成されるような温度設定が得られるように構成することにより、当該温度設定の確保が、オーブントースターＡ自体の設計的設定とは無関係に、アアダプター的部材である内部仕切り用網金具Ｂだけの寸法的課題として集約することが出来る。  従って、製作時における当該設定作業の容易化及び単純化が図られる。
【００１８】
本考案は請求項５に記載のような構成、すなわち、調理皿Ｄとして、其の儘おかず用容器として利用可能とする形態のものを用いることに依り、別皿の用意及び移し変えと言うような煩雑性は、これの後片付けと言うような事柄も含めて、全て解消化されることとなる。
【考案を実施するための最良の形態】
【００１９】
図１において、Ａはオーブントースター本体であって、正面には水平状に開かれる開閉扉１を具え、かつ、その上面部寄りと下面部寄りの両部分に、夫々上位側ヒーター２と下位側ヒーター３を取り付けてなるものである。  なお、このような基本的構成は既存のオーブントースターと同様であるが、本考案にあっては、当該上位側ヒーター２と下位側ヒーター３をとの距離を所要なものとするように構成することも、場合によっては重要な要素とされる。
【００２０】
図１及び図２において、Ｂは内部仕切り用網金具であって、オーブントースターＡ内にして上位側ヒーター２と下位側ヒーター３の間の適正位置に棚状に架設するためのものである。  そして、当該内部仕切り用網金具Ｂは、図１に示すようにパンＰを乗せるための焼き網部Ｂ1と、その両側部から所要高さ立ち上がらせるように連設した支持枠部Ｂ2,Ｂ2とを具えたものである。
【００２１】
図１及び図３において、Ｃは天火皿であって、上記した内部仕切り用網金具Ｂにおける支持枠部Ｂ2,Ｂ2上に載置するためのものであり、熱伝導性に優れた金属材料で製することが好ましい。
【００２２】
図１及び図４において、Ｄは調理皿であって、上記した天火皿Ｃ内に収容可能とする大きさを具えたものである。  そして、当該調理皿Ｄは、卵、ハム、ソウセイジ、野菜、チーズ等所要の調理用材料を入れることにより、目的とするおかずに対する加熱調理を成すための加熱皿として機能させるものである。
【００２３】
なお、当該調理皿Ｄは図示のような形状に限定されるものではない。  すなわち、その儘食卓に並べておかず用の器として利用可能とする形態とすることが好ましいが、別のお皿に盛るか、或いはトーストの上にピザ状に乗せるための単なる調理用皿として機能するだけのものであっても良い。  換言すれば、当該調理皿Ｄは天火皿Ｃ内に載置または収容可能とする大きさ及び形状を具えたものであれば、その形状的形態の制限性は存在しない。  然し乍、熱伝導性に優れた材料、例えば金属材料のようなもので形成することが過熱性の観点から好ましい。  更に、調理上の焦げ付きを防ぐためのフッ素加工等を施したものを用いるようにしても良い。
【００２４】
上記したような構成に基き、パンとおかずとを同一器具（本考案に係るオーブンレンジ）を用いて同時進行的に調理することが出来る。  そして、一方のものが先に調理完了となった場合は、当該出来上がった一方のものを取り出した後に、更なる加熱を継続させて、他方のものの完成化を計るような使用形態を採るものである。
【００２５】
ところで、パンとおかずとが同時に完成化するように設定すれば、その便利さは一段と高まることとなる。  そのための構成としては、既述した上位側ヒーター２と下位側ヒーター３の対向間隔の所要の設定、若しくは、内部仕切り用網金具Ｂの架設高さの所要の設定に基き達成される。  すなわちこれは、パンＰを乗せるための焼き網部Ｂ1部分の温度と、支持枠部Ｂ2,Ｂ2上に載置された天火皿Ｃ部分の温度とを、夫々の目的に対応する温度が得られるような高さに夫々設定することにより、トーストの焼き上げと、おかず調理の完成とが同時的に達成されるように成すことが可能化されるものである。
【００２６】
すなわち、上位側ヒーター２と下位側ヒーター３との対向距離、若しくは、内部仕切り用網金具Ｂに連設する支持枠部Ｂ2,Ｂ2の高さを、上記温度的条件を得るのに適したものとするように設計的構成を採るようにすることである。  これは、焼き網部Ｂ1部分に対する温度伝達と、支持枠部Ｂ2,Ｂ2上に載置された天火皿Ｃ部分に対する温度伝達は、これらを構成する金属材料によっても左右されるため、実際の実験に基きこれらの要件を選定する必要がある。
【００２７】
ところで、既述したオーブントースター本体Ａであるが、これの基本的形態は既存のものと同様な構成を有するものである。  従って、図面には示していないが、加熱時間を調節するタイマー構造、立ち上がり状態から水平状に開閉する開閉扉１の取付け構造、並びに、当該開閉扉１の開扉運動と連動して本考案における要旨部品たる内部仕切り用網金具Ｂを前方に迫り出させるような作動を行わせるような構造（出し入れの容易性を図るための構造に属する。）、これらは既存のオーブントースターにおける技術をそのまま採用可能とするものである。  従って、本考案にあってもこれと同様な構造を付加したオーブントースターも、本考案の実施態様に含まれるものとする。
【００２８】
本考案に係るオーブントースターは、内部仕切り用網金具Ｂの焼き網部Ｂ1上にパンＰを乗せると共に、天火皿Ｃ上に収装した調理皿Ｄに所要のおかず材料を入れ、この状態で所定の加熱処理を施すことにより、トーストとおかずとが同時進行的に調理される。  そして、既述したような温度条件の設定要素を採用することにより、トーストとおかずとが同時に完成化させることも可能とされる。  なお、このような調理時間の設定は、図示していないが、既存のオーブントースターと同様にタイマー等による自動制御に基き行われるものである。
【図面の簡単な説明】
【００２９】
【図１】開扉状態にある本考案に係るオーブントースターの内部構成を表した説明用一部切欠正面図である。
【図２】本考案の要旨部材とする内部仕切り用網金具Ｂを表した斜視図である。
【図３】本考案に用いる天火皿Ｃを表した斜視図である。
【図４】本考案に用いる調理皿Ｄの一例を表した斜視図である。
【符号の説明】
【００３０】
Ａ  オーブントースター本体
１  開閉扉
２  上位側ヒーター
３  下位側ヒーター
Ｂ  内部仕切り用網金具
Ｂ1  焼き網部
Ｂ2, 支持枠部
Ｐ  パン
Ｃ  天火皿
Ｄ  調理皿
【図１】
0003167559.tif 000003
【図２】
0003167559.tif 000004
【図３】
0003167559.tif 000005
【図４】
0003167559.tif 000006